(57)【要約】【課題】ユーザーの不快感を軽減し、且つ、原稿検知センサーの増設によるコストアップを引き起こすことなく、第２コンタクトガラス１５５上に原稿が載置されていない場合における載置態様の誤検知の発生を回避する。【解決手段】原稿検知センサー１６１によって原稿無しという検知結果が得られた場合には、原稿の載置態様を特定するために複数回実施する存否判定処理の１つとして、予め記憶している複数種類の載置態様のうち、原稿検知センサー１６１では原稿が検知されない全ての載置態様に共通して原稿の存否を確認し得る点灯条件である基準点灯条件で移動照射部１５２のＬＥＤアレイ１５２ａにおけるＬＥＤ素子を点灯させるものを実施するように、図示しない読取制御部を構成した。【選択図】図７
2014138219.tif 000002
【特許請求の範囲】
【請求項１】
原稿を載置する原稿台と、前記原稿台の表面に沿った主走査方向に並ぶ複数の分割光源を具備する光源のそれぞれの分割光源から発した光を前記原稿台上の原稿に向けて照射して原稿面での反射光を得ながら、前記表面に沿いつつ主走査方向に直交する方向である副走査方向に移動する移動照射手段と、前記移動照射手段からの反射光を受光して原稿の画像を読み取る画像センサーと、前記表面上の副走査方向の所定位置における原稿の存否を検知する原稿検知手段と、複数の前記分割光源の少なくとも１つを点灯させながら前記画像センサーによる受光量を取得した結果に基づいて前記載置台上の主走査方向の分割光源点灯位置における原稿の存否を判定する存否判定処理を、点灯させる前記分割光源を互いに異ならせた複数の点灯条件でそれぞれ実施し、それぞれの判定結果、及び前記原稿検知手段による検知結果に基づいて、前記載置台上における原稿の平面サイズ及び姿勢の組み合わせである載置態様について予め定められた複数種類の載置態様における何れであるのかを特定する制御手段とを有する原稿読取装置において、
前記原稿検知手段によって原稿無しという検知結果が得られた場合には、載置態様の特定のために複数回実施する前記存否判定処理の１つとして、複数種類の載置態様のうち、前記原稿検知手段では原稿が検知されない全ての載置態様に共通して原稿の存否を確認し得る点灯条件である基準点灯条件で前記分割光源を点灯させるものを実施するように、前記制御手段を構成したことを特徴とする原稿読取装置。
【請求項２】
請求項１の原稿読取装置において、
前記原稿検知手段によって原稿無しという検知結果が得られた場合には、載置態様の特定のために複数回実施する前記存否判定処理のうち、前記基準点灯条件を採用した存否判定処理を始めに実施するように、前記制御手段を構成したことを特徴とする原稿読取装置。
【請求項３】
請求項１又は２の原稿読取装置において、
複数種類の前記載置態様のうち、前記原稿検知手段によって原稿が検知される載置態様の全てについて、前記基準点灯条件を採用した存否判定処理で原稿ありと判定されるように、前記原稿検知手段の主走査方向の配設位置と、前記基準点灯条件とを設定するとともに、
前記原稿検知手段によって原稿有りという検知結果が得られた場合には、載置態様の特定のために複数回実施する前記存否判定処理としてそれぞれ、前記基準点灯条件を採用していないものを実施するように、前記制御手段を構成したことを特徴とする原稿読取装置。
【請求項４】
請求項１乃至３の何れかの原稿読取装置において、
前記存否判定処理における複数の前記分割光源の発光強度をそれぞれ、原稿の画像を読み取る画像読取処理を実施するときにおける複数の前記分割光源の発光強度よりも低くする処理を実施するように、前記制御手段を構成したことを特徴とする原稿読取装置。
【請求項５】
請求項１乃至４の何れかの原稿読取装置において、
前記原稿台上に載置された原稿を前記原稿台の表面に向けて押さえる原稿押さえ手段と、前記原稿押さえ手段の前記原稿台に対する開閉動作を検知する開閉検知手段とを設けるとともに、
前記開閉検知手段によって前記原稿押さえ手段の閉動作が検知されたことに基づいて、前記存否判定処理を開始する処理を実施するように、制御手段を構成したことを特徴とする原稿読取装置。
【請求項６】
原稿の画像を読み取る画像読取装置と、前記画像読取装置による画像の読取結果に基づいて記録部材に画像を形成する画像形成手段とを備える画像形成装置において、
前記画像読取装置として、請求項１乃至５の何れかの画像読取装置を用いたことを特徴とする画像形成装置。
【請求項７】
原稿台に原稿を載置する工程と、前記原稿台の表面に沿った主走査方向に並ぶ複数の分割光源を具備する光源のそれぞれの分割光源から前記原稿台上の原稿に向けて照射して原稿面での反射光を得ながら、該光源を搭載した移動照射手段を前記表面に沿いつつ前記主走査方向に直交する方向である副走査方向に移動させ、前記移動照射手段からの反射光を画像センサーに受光させて原稿の画像を読み取らせる工程と、前記表面上の副走査方向の所定位置における原稿の存否を原稿検知手段によって検知する工程と、複数の前記分割光源の少なくとも１つを点灯させながら前記画像センサーによる受光量を取得した結果に基づいて前記載置台上の主走査方向の分割光源点灯位置における原稿の存否を判定する存否判定処理を、点灯させる前記分割光源を互いに異ならせた複数の点灯条件でそれぞれ実施し、それぞれの判定結果、及び前記原稿検知手段による検知結果に基づいて、前記載置台上における原稿の平面サイズ及び姿勢の組み合わせである載置態様について予め定められた複数種類の載置態様における何れであるのかを特定する特定工程とを実施する原稿読取方法において、
前記原稿検知手段によって原稿無しという検知結果が得られた場合には、載置態様の特定のために複数回実施する前記存否判定処理の１つとして、複数種類の載置態様のうち、前記原稿検知手段では原稿が検知されない全ての載置態様に共通して原稿の存否を確認し得る点灯条件である基準点灯条件で前記分割光源を点灯させるものを実施することを特徴とする原稿読取方法。
【発明の詳細な説明】
【技術分野】
【０００１】
本発明は、原稿の画像を画像センサーに読み取らせる原稿読取方法、並びに、かかる原稿読取方法を用いる原稿読取装置及び画像形成装置に関するものである。
【背景技術】
【０００２】
従来、この種の原稿読取装置としては、特許文献１に記載のものが知られている。この原稿読取装置は、透明な原稿台に対して開閉動作可能な自動原稿給送ユニット（ＡＤＦ）を備えている。また、原稿台の表面に沿った主走査方向に並べられた複数のＬＥＤ素子を具備するＬＥＤアレイを搭載したキャリッジなども備えている。このキャリッジは、原稿台の上に載置された原稿の画像を光走査するために、原稿台の表面に沿った方向であり且つ主走査方向に直交する方向である副走査方向に移動できるようになっている。また、ＡＤＦは、操作者によって原稿台に対して閉じられることで、原稿台上の原稿を原稿台に向けて押さえ付ける。この状態で操作者によって読取開始命令がなされると、原稿読取装置は、移動照射部たるキャリッジの複数のＬＥＤ素子から発した光をそれぞれ原稿に向けて照射して原稿面での反射光を得ながら、キャリッジを副走査方向に移動させる。そして、得られた反射光を画像センサーとしてのＣＣＤに受光させて原稿の画像を読み取らせる。
【０００３】
図１０は、特許文献１の原稿読取装置における原稿の載置態様を説明するための平面模式図である。同図において、Ａ５、Ｂ５、Ａ４、Ｂ４、Ａ３という文字はそれぞれ原稿の平面サイズを示している。操作者は、どのような平面サイズの原稿であっても、図示のように、原稿の角を矩形状の原稿台の角に設けられた原稿基準位置に合わせる姿勢で原稿台上に載置する。
【０００４】
図示しないキャリッジは、原稿台の直下においてＬＥＤアレイを原稿台表面に沿った主走査方向に延在させる姿勢で配設されている。そして、図示しない駆動手段により、副走査方向に往復移動するようになっている。以下、原稿の原稿台上における姿勢について、その長手方向を副走査方向に沿わせる姿勢を縦、主走査方向に沿わせる姿勢を横として、特許文献１に記載の原稿読取装置を説明する。
【０００５】
特許文献１に記載の原稿読取装置は、図示のように、原稿台上の原稿の載置態様として、Ａ５横、Ｂ５横、Ａ４横、Ａ５縦、Ｂ５縦、Ａ４縦、Ｂ４縦、及びＡ３縦の８種類を予め記憶している。図中のＳＰ４という文字は、透明な原稿台の直下に配設された図示しない原稿検知センサーの配置位置を示している。原稿検知センサーは、図中のＳＰ４という文字の位置において、原稿台上に配設された原稿の存否を検知する。また、原稿読取装置の制御ユニットは、この原稿検知センサーによる検知結果と、画像センサーたるＣＣＤによる受光結果とに基づいて、載置台上の原稿の載置態様を特定するための特定処理を実施する。図中のＳＰ１、ＳＰ２、ＳＰ３という文字はそれぞれ、この特定処理で原稿の存否を判定する領域を示しており、領域ＳＰ１、領域ＳＰ２、領域ＳＰ３は主走査方向において互いに異なる位置に存在している。
【０００６】
原稿読取装置は、ＡＤＦの開閉動作を検知する開閉センサーを具備している。操作者が原稿台の上に原稿を置くために原稿台に対してＡＤＦを開くと、その開動作が開閉センサーによって検知される。その後、開閉センサーによってＡＤＦの閉動作の開始が検知されると、制御ユニットが特定処理を開始する。そして、特定処理において、まず、ＳＰ４の位置にある原稿検知センサーによる原稿検知の有無に応じて、載置台上の原稿の載置態様について２つの群のうちの何れに含まれるのかを判定する。２つの群のうち、第１群は、Ｂ５縦、Ａ４縦、Ｂ４縦、及びＡ３縦からなる群である。また、第２群は、Ａ５縦、Ａ５横、Ｂ５横、及びＡ４横からなる群である。第１群に含まれる載置態様では何れも原稿が原稿検知センサーによって検知されるのに対し、第２群に含まれる載置態様では何れも原稿が原稿検知センサーによって検知されない。そこで、原稿検知センサーによって原稿が検知された場合には、載置態様について第１群に含まれるものであると判定し、原稿が検知されなかった場合には、載置態様について第２群に含まれるものであると判定する。
【０００７】
制御ユニットは、このようにして載置態様の群を判定したら、次に、領域ＳＰ１における原稿の存否を判定するための存否判定処理を実施する。この存否判定処理では、ＬＥＤアレイに具備される複数のＬＥＤ素子のうち、領域ＳＰ１に対応するＬＥＤ素子だけを点灯させる。そして、かかる点灯条件によって得られるＣＣＤからの出力（受光量）に基づいて領域ＳＰ１における原稿の存否を判定する。この判定結果が原稿無しであった場合には、第１群であれば載置態様をＢ５縦であると特定し、第２群であれば載置態様をＡ５縦であると特定する。これに対し、判定結果が原稿有りであった場合には、次に、領域ＳＰ２に対応するＬＥＤ素子だけを点灯させた後、ＣＣＤからの出力に基づいて領域ＳＰ２における原稿の存否を判定する。そして、判定結果が原稿無しであった場合には、第１群であれば載置態様をＡ４縦であると特定し、第２群であれば載置態様をＡ５横であると特定する。これに対し、判定結果が原稿有りであった場合には、次に、領域ＳＰ３に対応するＬＥＤ素子だけを点灯させた後、ＣＣＤからの出力に基づいて領域ＳＰ３における原稿の存否を判定する。そして、判定結果が原稿無しであった場合には、第１群であれば載置態様をＢ４縦であると特定し、第２群であれば載置態様をＢ５横であると特定する。これに対し、判定結果が原稿有りであった場合には、第１群であれば載置態様をＡ３であると特定し、第２群であれば載置態様をＡ４横であると特定する。以上のようにして、原稿台に載置された原稿について８種類のうちの何れであるのかを特定する。
【０００８】
特許文献１では、原稿読取装置のかかる構成により、特定処理の実施時にＬＥＤアレイの光をユーザーの目に入れてしまうことによる不快感を軽減することができるとしている。
【発明の概要】
【発明が解決しようとする課題】
【０００９】
不快感を軽減できる理由につき、特許文献１においては具体的な説明がないが、次の通りであると考えられる。即ち、操作者が原稿台の上に原稿を置いてＡＤＦを閉じ始めると、原稿読取装置が定処理を開始してＬＥＤ素子を点灯させ始める。その後、ＡＤＦが完全に閉じられると、原稿の存在しない領域であっても、原稿を押さえているＡＤＦの表面がＬＥＤ光を良好に反射させることから、その領域に原稿が存在しているものと誤判定してしまう。このため、特定処理については、ＡＤＦが閉じられ始めてから、完全に閉じられる直前までの期間内で完了する必要がある。かかる期間では、ＡＤＦが完全に閉じられていないことから、ＬＥＤ光が原稿台とＡＤＦとの間から漏れてユーザーの目に入ってしまい易くなる。
【００１０】
特許文献１に記載の原稿読取装置においては、長さ特定処理でＬＥＤ素子を交代で順次点灯させていくことで、全てのＬＥＤ素子を同時に点灯させる場合に比べて光量を少なくする。これにより、原稿台とＡＤＦとの間から同時に漏れてしまう光の量を低減して、ユーザーの不快感を低減することができるものと考えられる。
【００１１】
ところが、この原稿読取装置では、特定処理において、原稿台に原稿が載置されていない場合に、Ａ５縦の載置態様で原稿が載置されていると誤検知してしまう。この誤検知は、次の理由によって発生するものである。即ち、上述したように、この原稿読取装置は、原稿検知センサーによって原稿が検知されない場合（第２群）であって、且つ、領域ＳＰ１における原稿の存否の判定結果が原稿無しであった場合には、載置態様をＡ５縦であると特定する。しかしながら、同図からわかるように、原稿検知センサーによって原稿が検知されない第２群においては、Ａ５縦の場合に限らず、原稿台の上に原稿が載置されていない場合にも、領域ＳＰ１における原稿の存否の判定結果が原稿無しになる。このため、載置台上に原稿が載置されていない場合には、載置態様がＡ５縦であると誤って特定されて、Ａ５縦で原稿が載置されていると誤検知されてしまうのである。
【００１２】
かかる誤検知の発生を回避するために、原稿検知センサーを図中のＳＰ４の位置ではなく、図中のＳＰａの位置にずらして、Ａ５縦の載置態様での原稿の有無を原稿検知センサーに検知させるようにしたとする。すると、原稿検知センサーによって原稿が検知された場合には、Ａ４横、Ａ３縦の何れにおいても領域ＳＰ３における原稿の存否が原稿有りと判定されることから、それら２つの載置態様を区別することができなくなってしまう。このため、例えば、ＳＰａの位置に加えて、ＳＰｂの位置にも原稿検知センサーを配設してそれら２つの載置態様を区別させるなど、原稿検知センサーを増設する必要が生じてコストアップを引き起こしてしまう。
【００１３】
本発明は、以上の背景に鑑みてなされたものであり、その目的とするところは、次のような原稿読取方法、原稿読取装置、及び画像形成装置を提供することである。即ち、ユーザーの不快感を軽減し、且つ、原稿検知センサーの増設によるコストアップを引き起こすことなく、原稿台上に原稿が載置されていない場合における載置態様の誤検知の発生を回避することができる原稿読取方法等である。
【課題を解決するための手段】
【００１４】
上記目的を達成するために、本発明は、前記原稿台の表面に沿った主走査方向に並ぶ複数の分割光源を具備する光源のそれぞれの分割光源から発した光を前記原稿台上の原稿に向けて照射して原稿面での反射光を得ながら、前記表面に沿いつつ主走査方向に直交する方向である副走査方向に移動する移動照射手段と、前記移動照射手段からの反射光を受光して原稿の画像を読み取る画像センサーと、前記表面上の副走査方向の所定位置における原稿の存否を検知する原稿検知手段と、複数の前記分割光源の少なくとも１つを点灯させながら前記画像センサーによる受光量を取得した結果に基づいて前記載置台上の主走査方向の分割光源点灯位置における原稿の存否を判定する存否判定処理を、点灯させる前記分割光源を互いに異ならせた複数の点灯条件でそれぞれ実施し、それぞれの判定結果、及び前記原稿検知手段による検知結果に基づいて、前記載置台上における原稿の平面サイズ及び姿勢の組み合わせである載置態様について予め定められた複数種類の載置態様における何れであるのかを特定する制御手段とを有する原稿読取装置において、前記原稿検知手段によって原稿無しという検知結果が得られた場合には、載置態様の特定のために複数回実施する前記存否判定処理の１つとして、複数種類の載置態様のうち、前記原稿検知手段では原稿が検知されない全ての載置態様に共通して原稿の存否を確認し得る点灯条件である基準点灯条件で前記分割光源を点灯させるものを実施するように、前記制御手段を構成したことを特徴とするものである。
また、本発明は、原稿台に原稿を載置する工程と、前記原稿台の表面に沿った主走査方向に並ぶ複数の分割光源を具備する光源のそれぞれの分割光源から前記原稿台上の原稿に向けて照射して原稿面での反射光を得ながら、該光源を搭載した移動照射手段を前記表面に沿いつつ前記主走査方向に直交する方向である副走査方向に移動させ、前記移動照射手段からの反射光を画像センサーに受光させて原稿の画像を読み取らせる工程と、前記表面上の副走査方向の所定位置における原稿の存否を原稿検知手段によって検知する工程と、複数の前記分割光源の少なくとも１つを点灯させながら前記画像センサーによる受光量を取得した結果に基づいて前記載置台上の主走査方向の分割光源点灯位置における原稿の存否を判定する存否判定処理を、点灯させる前記分割光源を互いに異ならせた複数の点灯条件でそれぞれ実施し、それぞれの判定結果、及び前記原稿検知手段による検知結果に基づいて、前記載置台上における原稿の平面サイズ及び姿勢の組み合わせである載置態様について予め定められた複数種類の載置態様における何れであるのかを特定する特定工程とを実施する原稿読取方法において、前記原稿検知手段によって原稿無しという検知結果が得られた場合には、載置態様の特定のために複数回実施する前記存否判定処理の１つとして、複数種類の載置態様のうち、前記原稿検知手段では原稿が検知されない全ての載置態様に共通して原稿の存否を確認し得る点灯条件である基準点灯条件で前記分割光源を点灯させるものを実施することを特徴とするものである。
【発明の効果】
【００１５】
本発明においては、長さ特定処理にて、複数の分割光源を交代で順次点灯させていくことで、全ての分割光源を同時に点灯させる場合に比べて光量を少なくする。これにより、原稿台と原稿との間から同時に漏れてしまう光の量を低減して、ユーザーの不快感を低減することができる。
【００１６】
また、本発明において、原稿台の上に原稿が載置されていない場合には、原稿検知手段による検知結果が原稿なしというものになって、分割光源を基準点灯条件で点灯させる存否判定処理が実施される。そして、その存否判定処理において、原稿の存否の判定結果が原稿無しというものになる。これに対し、原稿が原稿検知手段によって検知されない複数種類の載置態様のうち、何れかの載置態様で載置されていた場合には、前述の存否判定処理における判定結果が必ず原稿有りというものになる。このように、分割光源を基準点灯条件で点灯させる存否判定処理により、載置台上に原稿が載置されているのか否かを区別することが可能であるので、その区別のためだけに原稿検知手段を増設する必要がない。よって、原稿検知センサーの増設によるコストアップを引き起こすことなく、原稿台上に原稿が載置されていない場合における載置態様の誤検知の発生を回避することができる。
【図面の簡単な説明】
【００１７】
【図１】実施形態に係る複写機を示す斜視図。
【図２】実施形態に係る複写機を示す概略構成図。
【図３】同複写機における画像形成部の内部構成の一部を拡大して示す部分構成図。
【図４】同複写機における４つの作像ユニットからなるタンデム部の一部を示す部分拡大図。
【図５】同複写機における画像読取ユニットを示す斜視図。
【図６】同画像読取ユニットのスキャナの移動照射部に搭載されたＬＥＤアレイを示す斜視図。
【図７】同スキャナの第２コンタクトガラス上に載置される原稿の位置と、原稿のサイズと、ＬＥＤアレイの点灯パターンとを説明するための平面模式図。
【図８】同スキャナにおける電気回路の一部を示すブロック図。
【図９】同複写機の読取制御部によって実施される特定処理の制御フローを示すフローチャート。
【図１０】特許文献１の原稿読取装置における原稿の載置態様を説明するための平面模式図。
【発明を実施するための形態】
【００１８】
以下、本発明を、電子写真方式の複写機（以下、単に複写機という）に適用した実施形態について説明する。
まず、実施形態に係る複写機の基本的な構成について説明する。図１は、実施形態に係る複写機を示す斜視図である。この複写機は、画像形成装置としての画像形成部１と、シート供給装置４０と、画像読取ユニット５０とを備えている。画像読取装置としての画像読取ユニット５０は、画像形成部１の上に固定された原稿読取装置としてのスキャナ１５０と、これに支持されるシート搬送装置としての原稿自動搬送装置（以下、ＡＤＦという）５１とを有している。
【００１９】
図２は、実施形態に係る複写機を示す概略構成図である。同図において、画像形成部１のシート供給装置４０は、ペーパーバンク４１内に多段に配設された２つの給紙カセット４２、給紙カセットから記録シートを送り出す送出ローラ４３、送り出された記録シートを１枚ずつに分離する分離ローラ４５等を有している。また、画像形成部１の搬送路としての給紙路３７に対して、シート部材としての記録シートを搬送する複数の搬送ローラ対４６等も有している。
【００２０】
給紙カセット４２は、複数の記録シートを重ねたシート束の状態で内部に収容している。そして、一番上の記録シートに対して送出ローラ４３を押し当てている。送出ローラ４３が回転すると、シート束の一番上の記録シートが給紙カセット４２から送り出される。
【００２１】
給紙カセット４２の付近では、搬送ローラ対４６の第１搬送ローラと、これの側方（図２中右側方）に配設された第２搬送ローラとが互いに当接して搬送ニップを形成している。また、第１搬送ローラの下方には、分離ローラ４５が配設されており、第１搬送ローラに対して下方から当接して分離搬送ニップを形成している。
【００２２】
送出ローラ４３の回転駆動によって給紙カセット４２から送り出された記録シートは、搬送ローラ対４６の第１搬送ローラと、これの下方に配設された分離ローラ４５との当接による分離搬送ニップに進入する。この分離搬送ニップでは、記録シートの上面に当接する第１搬送ローラが図中反時計回り方向に回転駆動しながら、記録シートに対して給紙カセット４２側から給送路４４側に向かう搬送力を付与する。これに対し、記録シートの下面に当接する分離ローラ４５が図中反時計回り方向に回転駆動しながら、記録シートに対して給送路４４側から給紙カセット４２側に向かう搬送力を付与して、記録シートを給紙カセット４２に戻そうとする。
【００２３】
給紙カセット４２から記録シートが１枚だけの状態で送り出された場合、分離搬送ニップにおいて、第１搬送ローラと分離ローラ４５とが記録シートに対して互いに逆方向に向かう搬送力を付与する。これにより、分離ローラ４５の駆動伝達系に所定の閾値を超える負荷がかかる。すると、その駆動伝達系内に配設されたトルクリミッターが作動して、図示しないＤＣブラシレスモータからの駆動力の分離ローラ４５に対する伝達を切る。すると、分離ローラ４５が第１搬送ローラによって搬送される記録シートに連れ回るようになって、記録シートが分離搬送ニップから給送路４４に向けて排出される。
【００２４】
一方、給紙カセット４２から記録シートが複数枚重なった状態で送り出された場合、分離搬送ニップにおいて、第１搬送ローラが一番上の記録シートに対して給紙カセット４２側から給送路４４側に向かう搬送力を付与する。そして、一番上の記録シートを分離搬送ニップから給送路４４側に向けて送り出す。これに対し、分離ローラが下側に位置している記録シートに対して給送路４４側から給紙カセット側に向かう搬送力を付与して、下側の記録シートを分離搬送ニップ内から給紙カセット４２側に逆戻りさせる。これにより、分離搬送ニップでは、一番上の記録シートが他の記録シートから分離されて１枚の状態で給送路４４に送り出される。
【００２５】
給送路４４に進入した記録シートは、搬送ローラ対４６の搬送ニップに進入して、鉛直方向下方側から上方側に向かう搬送力を付与される。これにより、給送路４４内では、記録シートが画像形成部１の給紙路３７に向けて搬送される。
【００２６】
画像形成手段としての画像形成部１は、光書込装置２、黒，イエロー，マゼンタ，シアン（Ｋ，Ｙ，Ｍ，Ｃ）のトナー像を形成する４つの作像ユニット３Ｋ，Ｙ，Ｍ，Ｃ、転写ユニット２４等を備えている。また、紙搬送ユニット２８、レジストローラ対３３、定着装置３４、スイッチバック装置３６、給紙路３７等も備えている。そして、光書込装置２内に配設された図示しないレーザーダイオードやＬＥＤ等の光源を駆動して、ドラム状の４つの感光体４Ｋ，Ｙ，Ｍ，Ｃに向けてレーザー光Ｌを照射する。この照射により、感光体４Ｋ，Ｙ，Ｍ，Ｃの表面には静電潜像が形成され、この潜像は所定の現像プロセスを経由してトナー像に現像される。
【００２７】
図３は、画像形成部１の内部構成の一部を拡大して示す部分構成図である。また、図４は、４つの作像ユニット３Ｋ，Ｙ，Ｍ，Ｃからなるタンデム部の一部を示す部分拡大図である。なお、４つの作像ユニット３Ｋ，Ｙ，Ｍ，Ｃは、それぞれ使用するトナーの色が異なる他はほぼ同様の構成になっているので、図４においては各符号に付すＫ，Ｙ，Ｍ，Ｃという添字を省略している。
【００２８】
作像ユニット３Ｋ，Ｙ，Ｍ，Ｃは、それぞれ、感光体とその周囲に配設される各種装置とを１つのユニットとして共通の支持体に支持するものであり、画像形成部１本体に対して着脱可能になっている。黒用の作像ユニット３Ｋを例にすると、これは、感光体４の周りに、帯電装置２３、現像装置６、ドラムクリーニング装置１５、除電ランプ２２等を有している。本複写機では、４つの作像ユニット３Ｋ，Ｙ，Ｍ，Ｃを、後述する中間転写ベルト２５に対してその無端移動方向に沿って並べるように対向配設した、いわゆるタンデム型の構成になっている。
【００２９】
感光体４としては、アルミニウム等の素管に、感光性を有する有機感光材の塗布による感光層を形成したドラム状のものを用いている。但し、無端ベルト状のものを用いても良い。
【００３０】
現像装置６は、図示しない磁性キャリアと非磁性トナーとを含有する二成分現像剤を用いて潜像を現像するようになっている。内部に収容している二成分現像剤を攪拌しながら搬送して現像スリーブ１２に供給する攪拌部７と、現像スリーブ１２に担持された二成分現像剤中のトナーを感光体４に転移させるための現像部１１とを有している。
【００３１】
攪拌部７は、現像部１１よりも低い位置に設けられており、互いに平行配設された２本の搬送スクリュウ８、これらスクリュウ間に設けられた仕切り板、現像ケース９の底面に設けられたトナー濃度センサー１０などを有している。
【００３２】
現像部１１は、現像ケース９の開口を通して感光体４に対向する現像スリーブ１２、これの内部に回転不能に設けられたマグネットローラ１３、現像スリーブ１２に先端を接近させるドクタブレード１４などを有している。現像スリーブ１２は、非磁性の回転可能な筒状になっている。マグネットローラ１３は、ドクタブレード１４との対向位置からスリーブの回転方向に向けて順次並ぶ複数の磁極を有している。これら磁極は、それぞれスリーブ上の二成分現像剤に対して回転方向の所定位置で磁力を作用させる。これにより、攪拌部７から送られてくる二成分現像剤を現像スリーブ１２表面に引き寄せて担持させるとともに、スリーブ表面上で磁力線に沿った磁気ブラシを形成する。
【００３３】
磁気ブラシは、現像スリーブ１２の回転に伴ってドクタブレード１４との対向位置を通過する際に適正な層厚に規制されてから、感光体４に対向する現像領域に搬送される。そして、現像スリーブ１２に印加される現像バイアスと、感光体４の静電潜像との電位差によってトナーを静電潜像上に転移させて現像に寄与する。更に、現像スリーブ１２の回転に伴って再び現像部１１内に戻り、マグネットローラ１３の磁極間に形成される反発磁界の影響によってスリーブ表面から離脱した後、攪拌部７内に戻される。攪拌部７内には、トナー濃度センサー１０による検知結果に基づいて、二成分現像剤に適量のトナーが補給される。なお、現像装置６として、二成分現像剤を用いるものの代わりに、磁性キャリアを含まない一成分現像剤を用いるものを採用してもよい。
【００３４】
ドラムクリーニング装置１５としては、弾性体からなるクリーニングブレード１６を感光体４に押し当てる方式のものを用いているが、他の方式のものを用いてもよい。クリーニング性を高める目的で、本例では、外周面を感光体４に接触させる接触導電性のファーブラシ１７を、図中矢印方向に回転自在に有する方式のものを採用している。このファーブラシ１７は、図示しない固形潤滑剤から潤滑剤を掻き取って微粉末にしながら感光体４表面に塗布する役割も兼ねている。ファーブラシ１７にバイアスを印加する金属製の電界ローラ１８を図中矢示方向に回転自在に設け、これにスクレーパ１９の先端を押し当てている。ファーブラシ１７に付着したトナーは、ファーブラシ１７に対してカウンタ方向に接触して回転しながらバイアスが印加される電界ローラ１８に転位する。そして、スクレーパ１９によって電界ローラ１８から掻き取られた後、回収スクリュウ２０上に落下する。回収スクリュウ２０は、回収トナーをドラムクリーニング装置１５における図紙面と直交する方向の端部に向けて搬送して、外部のリサイクル搬送装置２１に受け渡す。リサイクル搬送装置２１は、受け渡されたトナーを現像装置６に送ってリサイクルする。
【００３５】
除電ランプ２２は、光照射によって感光体４を除電する。除電された感光体４の表面は、帯電装置２３によって一様に帯電せしめられた後、光書込装置２による光書込処理がなされる。なお、帯電装置２３としては、帯電バイアスが印加される帯電ローラを感光体４に当接させながら回転させるものを用いている。感光体４に対して非接触で帯電処理を行うスコロトロンチャージャ等を用いてもよい。
【００３６】
図３において、４つの作像ユニット３Ｋ，Ｙ，Ｍ，Ｃの感光体４Ｋ，Ｙ，Ｍ，Ｃには、これまで説明してきたプロセスによってＫ，Ｙ，Ｍ，Ｃトナー像が形成される。
【００３７】
４つの作像ユニット３Ｋ，Ｙ，Ｍ，Ｃの下方には、転写ユニット２４が配設されている。ベルト駆動装置としての転写ユニット２４は、複数のローラによって張架した中間転写ベルト２５を、感光体４Ｋ，Ｙ，Ｍ，Ｃに当接させながら図３中時計回り方向に無端移動させる。これにより、感光体４Ｋ，Ｙ，Ｍ，Ｃと、無端状のベルト部材である中間転写ベルト２５とが当接するＫ，Ｙ，Ｍ，Ｃ用の１次転写ニップが形成されている。Ｋ，Ｙ，Ｍ，Ｃ用の１次転写ニップの近傍では、ベルトループ内側に配設された１次転写ローラ２６Ｋ，Ｙ，Ｍ，Ｃによって中間転写ベルト２５を感光体４Ｋ，Ｙ，Ｍ，Ｃに向けて押圧している。これら１次転写ローラ２６Ｋ，Ｙ，Ｍ，Ｃには、それぞれ図示しない電源によって１次転写バイアスが印加されている。これにより、Ｋ，Ｙ，Ｍ，Ｃ用の１次転写ニップには、感光体４Ｋ，Ｙ，Ｍ，Ｃ上のトナー像を中間転写ベルト２５に向けて静電移動させる１次転写電界が形成されている。図中時計回り方向の無端移動に伴ってＫ，Ｙ，Ｍ，Ｃ用の１次転写ニップを順次通過していく中間転写ベルト２５のおもて面には、各１次転写ニップでトナー像が順次重ね合わせて１次転写される。この重ね合わせの１次転写により、中間転写ベルト２５のおもて面には４色重ね合わせトナー像（以下、４色トナー像という）が形成される。
【００３８】
転写ユニット２４の図中下方には、駆動ローラ３０と２次転写ローラ３１との間に、無端状の紙搬送ベルト２９を掛け渡して無端移動させる紙搬送ユニット２８が設けられている。そして、自らの２次転写ローラ３１と、転写ユニット２４の下部張架ローラ２７との間に、中間転写ベルト２５及び紙搬送ベルト２９を挟み込んでいる。これにより、中間転写ベルト２５のおもて面と、紙搬送ベルト２９のおもて面とが当接する２次転写ニップが形成されている。２次転写ローラ３１には図示しない電源によって２次転写バイアスが印加されている。一方、転写ユニット２４の下部張架ローラ２７は接地されている。これにより、２次転写ニップに２次転写電界が形成されている。
【００３９】
この２次転写ニップの図中右側方には、レジストローラ対３３が配設されている。また、レジストローラ対３３のレジストニップの入口付近には、図示しないレジストローラセンサーが配設されている。図示しないシート供給装置からレジストローラ対３３に向けて搬送されてくる記録部材としての記録シートは、その先端がレジストローラセンサーに検知された所定時間後記録シートの搬送が一時停止し、レジストローラ対３３のレジストニップに先端を突き当てる。
【００４０】
記録シートの先願がレジストニップに突き当たると、レジストローラ対３３は、記録シートを中間転写ベルト２５上の４色トナー像に同期させ得るタイミングでローラ回転駆動を再開して、記録シートを２次転写ニップに送り出す。２次転写ニップ内では、中間転写ベルト２５上の４色トナー像が２次転写電界やニップ圧の作用によって記録シートに一括２次転写され、記録シートの白色と相まってフルカラー画像となる。２次転写ニップを通過した記録シートは、中間転写ベルト２５から離間して、紙搬送ベルト２９のおもて面に保持されながら、その無端移動に伴って定着装置３４へと搬送される。
【００４１】
２次転写ニップを通過した中間転写ベルト２５の表面には、２次転写ニップで記録シートに転写されなかった転写残トナーが付着している。この転写残トナーは、中間転写ベルト２５に当接するベルトクリーニング装置によって掻き取り除去される。
【００４２】
定着装置３４に搬送された記録シートは、定着装置３４内における加圧や加熱によってフルカラー画像が定着させしめられた後、定着装置３４から排紙ローラ対３５に送られた後、機外へと排出される。
【００４３】
図２において、紙搬送ユニット２８および定着装置３４の下には、スイッチバック装置３６が配設されている。これにより、片面に対する画像定着処理を終えた記録シートが、切換爪で記録シートの進路を記録シート反転装置側に切り替えられ、そこで反転されて再び２次転写転写ニップに進入する。そして、もう片面にも画像の２次転写処理と定着処理とが施された後、排紙トレイ上に排紙される。
【００４４】
画像形成部１の上に固定されたスキャナ１５０は、移動照射部１５２を有している。移動照射部１５２は、原稿ＭＳに接触するようにスキャナ１５０のケーシング上壁に固定された図示しない第２コンタクトガラスの直下に配設されている。光源としてのＬＥＤアレイや、反射ミラーなどからなる光学系を具備する移動照射部１５２は、図１中左右方向である副走査方向に移動することができる。そして、図１中左側から右側に移動していく過程で、ＬＥＤアレイから発した光を第２コンタクトガラス上に載置された図示しない原稿で反射させた後、反射ミラーを経由させて、スキャナ本体に固定された画像読取センサー１５３に受光させる。
【００４５】
なお、移動照射部１５２は、図示の位置よりも少し左側の位置に移動して、スキャナ１５０のケーシング上壁に固定された図示しない第１コンタクトガラスの直下に位置することも可能である。
【００４６】
スキャナ１５０の上に配設されたＡＤＦ５１は、本体カバー５２に、読取前の原稿ＭＳを載置するための原稿載置台５３を保持している。加えて、シート部材としての原稿ＭＳを搬送するための搬送ユニット５４、読取後の原稿ＭＳをスタックするための原稿スタック台５５なども保持している。図５に示されるように、スキャナ１５０に固定された蝶番１５９によって上下方向に揺動可能に支持されている。そして、その揺動によって開閉扉のような動きをとり、開かれた状態でスキャナ１５０の上面の第１コンタクトガラス１５４や第２コンタクトガラス１５５を露出させる。原稿束の片隅を綴じた本などの片綴じ原稿の場合には、原稿を１枚ずつ分離することができないため、ＡＤＦによる搬送を行うことができない。そこで、片綴じ原稿の場合には、ＡＤＦ５１を図５に示されるように開いた後、読み取らせたいページが見開かれた片綴じ原稿を下向きにして第２コンタクトガラス１５５上に載せた後、ＡＤＦを閉じる。そして、図示しないコピースタートボタンを押す。すると、スキャナ１５０の移動照射部（１５２）は、第１コンタクトガラス１５４の直下の位置をホームポジションにしており、読取待機中にはそのホームポジションで停止している。コピースタートボタンが押されると、移動照射部（１５２）がホームポジションから第２コンタクトガラス１５５の直下に向けて移動し始める。そして、第２コンタクトガラス１５５の図５中における左側端部から右側端部に向けて移動していく。このとき、移動照射部（１５２）は、ＬＥＤアレイから発した光を原稿面で反射させて、反射光をＣＣＤ（１５３）に向けて導く。これにより、原稿の画像がＣＣＤによって原稿の先端側（副走査方向の上流側）から後端側に向けて順次読み取られていく。なお、ＡＤＦ５１は、原稿台たる第２コンタクトガラス１５５上に載置された原稿を第２コンタクトガラス１５５に向けて押さえ付ける原稿押さえ手段として機能している。
【００４７】
原稿が互いに独立した複数の原稿ＭＳを単に積み重ねた原稿束である場合には、その原稿ＭＳをＡＤＦ５１によって１枚ずつ自動搬送しながら、その画像をスキャナ１５０に順次読み取らせていくことができる。この場合、操作者は原稿束を原稿載置台５３上にセットした後、図示しないコピースタートボタンを押す。すると、ＡＤＦ５１が、原稿載置台５３上に載置された原稿束の原稿ＭＳを上から順に搬送ユニット５４内に送り、それを反転させながら原稿スタック台５５に向けて搬送する。この搬送の過程で、原稿ＭＳを反転させながらスキャナ１５０の第１コンタクトガラス１５４の真上に通す。これにより、原稿ＭＳの第１面の画像が上述したホームポジションで停止したままの状態の移動照射部（１５２）によって走査されてＣＣＤ（１５３）に読み取られる。
【００４８】
なお、図５において、ＡＤＦ５１とスキャナ１５０とを具備する画像読取ユニット５０は、ＡＤＦ５１の開閉角度を検知するロータリーエンコーダー等からなる開閉センサー１５７を有している。以下、ＡＤＦ５１の開閉角度について、ＡＤＦ５１がスキャナ１５０の第２コンタクトガラス１５５に接触して第２コンタクトガラス１５５を完全に覆う状態の開閉角度を０［°］として説明する。また、ＡＤＦ５１がほぼ鉛直方向に延在する姿勢になるまで開かれた状態の開閉角度を９０［°］として説明する。
【００４９】
図６は、移動照射部（１５２）に搭載された光源としてのＬＥＤアレイ１５２ａを示す斜視図である。図示のように、ＬＥＤアレイ１５２ａは、分割光源たる複数のＬＥＤ素子１５２ａ’を具備している。これらＬＥＤ素子１５２ａ’は、第１コンタクトガラス（１５４）の表面に沿いつつ、移動照射部（１５２）の移動方向に直交する方向である主走査方向に沿って一直線状に並んでいる。スキャナ１５０は、原稿（ＭＳ）の画像を読み取るときには、ＬＥＤアレイ１５２ａの全てのＬＥＤ素子１５２ａ’を点灯させた状態で移動照射部（１５２）を原稿（ＭＳ）の先端側から後端側に向けて移動させる。
【００５０】
図７は、第２コンタクトガラス１５５上に載置される原稿の位置と、原稿の載置態様と、ＬＥＤアレイ１５２ａの点灯パターンとを説明するための平面模式図である。同図は、第２コンタクトガラス１５５を鉛直方向の上方から示しており、第２コンタクトガラス１５５の直下に、移動照射部１５２が配設されている。
【００５１】
同図において、Ａ５Ｙ、Ｂ５Ｙ、Ａ４Ｙという文字は、Ａ５横、Ｂ５横、Ａ４横という載置態様をそれぞれ示している。また、Ａ５Ｔ、Ｂ５Ｔ、Ａ４Ｔ、Ｂ４Ｔ、Ａ３Ｔという文字は、Ａ５縦、Ｂ５縦、Ａ４縦、Ｂ４縦、Ａ３縦という載置態様をそれぞれ示している。第２コンタクトガラス１５５は、自らの平面の短手方向を原稿読取の際の原稿走査における主走査方向に沿わせつつ、長手方向を副走査方向に沿わせる姿勢で配設されている。そして、移動照射部１５２は、その長手方向を主走査方向に沿わせた姿勢で配設されており、図示しない移動機構によって副走査方向に移動することが可能になっている。つまり、移動照射部１５２は、第２コンタクトガラス１５５の長手方向（副走査方向）に沿って往復移動することが可能である。第２コンタクトガラス１５５上に載置された原稿の画像を読み取る際には、移動照射部１５２は、副走査方向において、図中の左側から右側に向けて移動する。以下、原稿を読み取る際の副走査方向における図中の左側を読取時上流側という。また、図中の右側を読取時下流側という。
【００５２】
実施形態に係る複写機では、図中の太矢印の先端位置を原稿基準位置としている。この原稿基準位置は、第２コンタクトガラス１５５の２次元平面上にある４つのコーナーのうち、１つのコーナーの位置であり、このコーナーは、第２コンタクトガラス１５５の副走査方向における全域のうち、読取時の副走査方向の上流端に存在している。
【００５３】
図８は、実施形態に係る複写機のスキャナ（１５０）における電気回路の一部を示すブロック図である。同図において、制御手段としての読取制御部１７０は、図示しないＣＰＵ（Central Processing Unit）、ＲＡＭ（Random Access Memory）、ＲＯＭ（Read Only Memory）などからなる。読取制御部１７０には、開閉センサー１５７、原稿検知センサー１６１、画像処理回路１７１、ＬＥＤ駆動回路１７２、モーター駆動回路１７３、ホームポジションセンサー１７５などが接続されている。同図に示される開閉センサー１５７、ＬＥＤアレイ１５２ａ、ＣＣＤ１５３の役割については、既に述べた通りであるので説明を省略する。
【００５４】
読取制御部１７０は、図７に示される８つの載置態様（Ａ５Ｙ等）を記憶手段としてのＲＯＭ内に予め記憶している。原稿検知センサー１６１は、反射型フォトセンサーからなる。そして、第２コンタクトガラス１５５の真下に位置した状態で、第２コンタクトガラス１５５に向けて光を照射する。ＡＤＦ（５１）が開かれた直後の状態では、原稿検知センサー１６１の発光素子から出射された光が、第２コンタクトガラス１５５を通じて鉛直方向の真上に向けて進んでいく。このため、原稿検知センサー１６１は、自らの発光素子から発した光を反射光として受光素子で検知することがない。一方、第２コンタクトガラス１５５の平面上における全域のうち、原稿検知センサー１６１の真上の領域に原稿が置かれると、原稿検知センサー１６１の発光素子から出射された光が原稿面で反射して反射光となる。そして、この反射光が原稿検知センサー１６１の受光素子に受光される。このように、原稿検知センサー１６１は、自らの真上に原稿が存在している場合には、自らの受光素子によって所定の閾値を超える量の光を受光する（原稿を検知する）。これに対し、自らの真上に原稿が存在していない場合には、受光素子による受光量が閾値を下回る（原稿を検知しない）。
【００５５】
図８に示されるホームポジションセンサー１７５は、透過型フォトセンサー等からなり、移動照射部（１５２）についてホームポジションに位置しているか否かを検知して、その検知結果を読取制御部１７０に出力するものである。また、ＬＥＤ駆動回路１７２は、読取制御部１７０からの信号に基づいて、ＬＥＤアレイ１５２ａの複数のＬＥＤ素子における点灯の入切を後述するブロック毎に制御するものである。また、画像処理回路１７１は、ＣＣＤ１５３からの信号に基づいて読取画像の画像データを構築するものであり、必要に応じてＣＣＤ１５３の主走査方向における所定領域の受光量の信号を読取制御部１７０に出力する。また、移動モーター１７４は、移動照射部（１５２）を副走査方向に移動させるためのものであって、ステッピングモーターからなっている。この移動モーター１７４に対する励磁はモーター駆動回路１７３によって制御されるが、駆動量や駆動方向などについては読取制御部１７０によって制御される。
【００５６】
読取待機時には、移動照射部１５２は上述したホームポジションに位置している。図７において、このホームポジションは第２コンタクトガラス１５５よりも図中の左側の位置であり、図示されていない。通常は、図示しないＡＤＦ（５１）が完全に閉じられていて第２コンタクトガラス１５５を覆っている状態になっている。このため、操作者は、第２コンタクトガラス１５５の上に原稿を載置するためには、ＡＤＦ（５１）を開く必要がある。操作者によってＡＤＦ（５１）が開かれ始めて、ＡＤＦ（５１）の開閉角度がそれまでの０［°］から上昇して３０［°］まで到達すると、スキャナ１５０に搭載された読取制御部（１７０）は、ＡＤＦ（５１）の開操作がなされ始めたことを認識する。そして、その認識に基づいて、移動照射部１５２をホームポジションから図中の原稿サイズ検知位置ＤＰまで移動させる。なお、本明細書では、移動照射部１５２の副走査方向における読取時上流側の端を、移動照射部１５２の副走査方向の位置基準として説明している。このため、同図においては、原稿サイズ検知位置ＤＰを示す一点鎖線を、図中の移動照射部１５２における読取時上流側の端と同じ位置に示している。
【００５７】
移動照射部１５２のＬＥＤアレイ１５２ａは、主走査方向において８つのブロックに分割されている（図７参照）。そして、複数のＬＥＤ素子（１５２ａ’）の点灯の入切を、ブロック毎に制御することが可能になっている。つまり、同じブロックに存在するＬＥＤ素子同士に対しては、同時に電源の入切がなされるようになっている。
【００５８】
操作者は、どのようなサイズの原稿であっても、図示のように、その原稿の副走査方向における先端に存在する角を、第２コンタクトガラス１５５の原稿基準位置に位置させる状態で、原稿を第２コンタクトガラス１５５上に載置する。原稿サイズ検知位置ＤＰに位置している移動照射部１５２は、原稿が第２コンタクトガラス１５５上に載置されると、その原稿の副走査方向における読取時上流側の端部に対向する。つまり、原稿サイズ検知位置ＤＰは、移動照射部１５２に対し、第２コンタクトガラス１５５上に載置された原稿の読取時上流側の端部を対向させる位置になっている。
【００５９】
操作者が第２コンタクトガラス１５５の上に原稿を載置した後、図示しないＡＤＦ（５１）を閉じ始めると、ＡＤＦ（５１）の開閉角度が９０［°］から低下し始める。そして、やがて開閉センサー（１５７）による開閉角度の検知結果が７０［°］まで低下する。読取制御部（１７０）は、開閉角度が７０［°］まで低下すると、ＡＤＦ（５１）の閉操作がなされ始めたと判断する。そして、その判断に基づいて、第２コンタクトガラス１５５上に載置された原稿の載置態様を特定するための特定処理を開始する。
【００６０】
特定処理を開始した読取制御部（１７０）は、まず、第２コンタクトガラス１５５の主走査方向における所定位置での原稿の存否を判定するための存否判定処理を複数回実施する。それぞれの存否判定処理では、ＬＥＤアレイ１５２ａの部分点灯を行った状態でのＣＣＤ（１５３）による受光量を取得したり、その受光量について所定の閾値を下回るか否かを判定したりした結果に基づいて、原稿の存否を判定する。また、それぞれの存否判定処理では、ＬＥＤ素子の点灯条件を互いに異ならせる。
【００６１】
存否判定処理におけるＣＣＤ（１５３）による受光量の取得対象となる取得対象領域としては、図７に示される基準判定領域Ｓ０、第１判定領域Ｓ１、第２判定領域Ｓ２、第３判定領域Ｓ３、及び第４判定領域Ｓ４の４つが予め定められている。基準判定領域Ｓ０は、ＬＥＤアレイ（１５２ａ）における第３ブロックのＬＥＤ素子（以下、第３ブロックＬＥＤ素子という）に対向する領域である。また、第１判定領域Ｓ１は、ＬＥＤアレイにおける第５ブロックのＬＥＤ素子（以下、第５ブロックＬＥＤ素子）に対向する領域である。また、第２判定領域Ｓ２は、ＬＥＤアレイにおける第６ブロックのＬＥＤ素子（以下、第６ブロックＬＥＤ素子という）に対向する領域である。また、第３判定領域Ｓ３は、ＬＥＤアレイにおける第７ブロックのＬＥＤ素子（以下、第７ブロックＬＥＤ素子という）に対向する領域である。また、第４判定領域Ｓ４は、ＬＥＤアレイにおける第８ブロックのＬＥＤ素子（以下、第８ブロックＬＥＤ素子という）に対向する領域である。
【００６２】
読取制御部（１７０）は、特定処理において、例えば基準判定領域Ｓ０における原稿の存否を判定するための存否判定処理である基準存否判定処理を行う場合には、ＬＥＤアレイ１５２ａにおける第３ブロックＬＥＤ素子だけを点灯させる。そして、この点灯条件によって得られるＣＣＤ（１５３）による主走査方向の全域における受光量のうち、基準判定領域Ｓ０だけにおける受光量と、所定の閾値とを比較し、「受光量≧閾値」である場合に原稿有りと判定し、そうでない場合に原稿なしと判定する。
【００６３】
また、読取制御部（１７０）は、特定処理において、第１判定領域Ｓ１における原稿の存否を判定するための存否判定処理である第１存否判定処理を行う場合には、ＬＥＤアレイ１５２ａにおける第５ブロックＬＥＤ素子だけを点灯させる。そして、この点灯条件によって得られるＣＣＤによる主走査方向の全域における受光量のうち、第１判定領域Ｓ１だけにおける受光量と、所定の閾値とを比較する。同様に、第２、第３、第４判定領域（Ｓ２、Ｓ３、Ｓ４）における原稿の存否を判定するための第２、第３、第４存否判定処理を行う場合には、第６、第７、第８ブロックＬＥＤ素子だけを点灯させる。そして、それぞれの点灯条件によって得られるＣＣＤによる主走査方向の全域における受光量のうち、第２、第３、第４判定領域だけにおける受光量と、所定の閾値とを比較し、「受光量≧閾値」である場合に原稿有りと判定する。
【００６４】
存否判定処理の種類と、点灯させるＬＥＤ素子と、主走査方向における受光量の取得領域との関係を、次の表１に示す。
【表１】
2014138219.tif 000003
【００６５】
読取制御部（１７０）は、原稿検知センサー（１６１）による検知結果に基づいて、複数の存否判定処理のうち、どの存否判定処理を実施するのかを決定する。そして、存否判定処理における判定結果と、原稿検知センサーによる検知結果とに基づいて、第２コンタクトガラス１５５上の原稿の載置態様を特定する。
【００６６】
かかる特定処理においては、ＬＥＤアレイを部分点灯させて原稿の載置態様を特定することで、特定処理の実施時にＬＥＤアレイの光をユーザーの目に入れてしまうことによる不快感を軽減することができる。なお、実施形態に係る複写機の特定処理として、本段落までに説明してきた事項は、従来の原稿読取装置における特定処理と共通する事項についてだけである。実施形態に係る複写機の特定処理では、従来の特定処理とは異なる特徴的な処理を実施するが、この特徴的な処理については後述する。
【００６７】
次に、実施形態に係る複写機の特徴的な構成について説明する。
図９は、実施形態に係る複写機の読取制御部（１７０）によって実施される特定処理の制御フローを示すフローチャートである。特定処理は、上述したように、ＡＤＦ（５１）が９０［°］の開閉角度で開かれた状態から、開閉角度が７０［°］まで低下したことに基づいて開始される。
【００６８】
読取制御部は、特定処理を開始すると、まず、原稿検知センサー（１６１）によって原稿が検知されているか否かを判定する（ステップ１：以下、ステップをＳと記す）。そして、原稿が検知されている場合には（Ｓ１でＹ）、制御フローを、Ｓ２〜Ｓ１１からなる第１フローに進める。これに対し、原稿が検知されていない場合には（Ｓ１でＮ）、制御フローを、Ｓ１２〜Ｓ２７からなる第２フローに進める。
【００６９】
制御フローを第１フローに進めた読取制御部は、次に、第２存否判定処理を実施した後（Ｓ２）、第２判定領域Ｓ２における原稿の存否に応じて、次の工程を選択する（Ｓ３）。具体的には、第２判定領域Ｓ２に原稿が存在していなかった場合には（Ｓ３でＮ）、次の工程をＳ９のエラー処理に進める。そして、このエラー処理で、「原稿が原稿基準に合わせた姿勢で載置されていません。原稿の位置合わせを行って下さい。」というエラーメッセージを画像形成部（１）の表示部に表示させる。原稿が原稿基準で正しく位置合わせされていれば、原稿検知センサー（１６１）によって原稿が検知されているにもかかわらず、第２判定領域Ｓ２で原稿が検知されない、といった事態が発生しないことから、前述のようなエラーメッセージを表示させるのである。読取制御部は、このようなエラー処理を行った後、一連の制御フローを終了する。これに対し、第２判定領域Ｓ２に原稿が存在していた場合には（Ｓ３でＹ）、次に、第３存否判定処理を実施した後（Ｓ４）、第３判定領域Ｓ３における原稿の存否に応じて、次の工程を選択する（Ｓ５）。
【００７０】
第３判定領域Ｓ３に原稿が存在していなかった場合（Ｓ５でＮ）、読取制御部は、載置態様についてＡ４Ｔであると特定した後（Ｓ１０）、一連の制御フローを終了する。これに対し、第３判定領域Ｓ３に原稿が存在していた場合には（Ｓ５でＹ）、第４存否判定処理を実施した後（Ｓ６）、第４判定領域Ｓ４における原稿の存否に応じて、次の工程を選択する（Ｓ７）。
【００７１】
第４判定領域Ｓ４に原稿が存在していなかった場合（Ｓ７でＮ）、読取制御部は、載置態様についてＢ４Ｔであると特定した後（Ｓ１１）、一連の制御フローを終了する。これに対し、第４判定領域Ｓ４に原稿が存在していた場合には（Ｓ７でＹ）、載置態様についてＡ３Ｔであると特定した後（Ｓ８）、一連の制御フローを終了する。
【００７２】
読取制御部は、上記Ｓ１の工程で制御フローを第２フローに進めると、まず、基準存否判定処理を実施した後（Ｓ１２）、基準判定領域Ｓ０における原稿の存否に応じて、次の工程を選択する（Ｓ１３）。具体的には、基準判定領域Ｓ０に原稿が存在していなかった場合には（Ｓ１３でＮ）、工程をＳ２３のエラー処理に進める。そして、このエラー処理において、「原稿が載置されていません。」というエラーメッセージを画像形成部（１）の表示部に表示させた後、一連の制御フローを終了させる。原稿検知センサーで原稿が検知されず、且つ基準判定領域Ｓ０に原稿が存在していない場合には、第２コンタクトガラス（１５５）上に原稿が載置されていない可能性が高いからである。読取制御部は、このようなエラー処理を行った後、一連の制御フローを終了する。これに対し、基準判定領域Ｓ０に原稿が存在していた場合には（Ｓ１３でＹ）、次に、第１存否判定処理を実施した後（Ｓ１４）、第１判定領域Ｓ１における原稿の存否に応じて、次の工程を選択する（Ｓ１５）。
【００７３】
第１判定領域Ｓ１に原稿が存在していなかった場合（Ｓ１５でＮ）、読取制御部は、載置態様をＡ５Ｔであると特定した後（Ｓ２４）、一連の制御フローを終了させる。これに対し、第１判定領域Ｓ１に原稿が存在していた場合には（Ｓ１５でＹ）、次に、第２存否判定処理を実施した後（Ｓ１６）、第２判定領域Ｓ２における原稿の存否に応じて、次の工程を選択する（Ｓ１７）。
【００７４】
第２判定領域Ｓ２に原稿が存在していなかった場合（Ｓ１７でＮ）、読取制御部は、載置態様をＢ５Ｔであると特定した後（Ｓ２５）、一連の制御フローを終了させる。これに対し、第２判定領域Ｓ２に原稿が存在していた場合には（Ｓ１７でＹ）、次に、第３存否判定処理を実施した後（Ｓ１８）、第３判定領域Ｓ３における原稿の存否に応じて、次の工程を選択する（Ｓ１９）。
【００７５】
第３判定領域Ｓ３に原稿が存在していなかった場合（Ｓ１９でＮ）、読取制御部は、載置態様をＡ５Ｙであると特定した後（Ｓ２６）、一連の制御フローを終了させる。これに対し、第３判定領域Ｓ３に原稿が存在していた場合には（Ｓ１９でＹ）、次に、第４存否判定処理を実施した後（Ｓ２０）、第４判定領域Ｓ４における原稿の存否に応じて、次の工程を選択する（Ｓ２１）。
【００７６】
第４判定領域Ｓ４に原稿が存在していなかった場合（Ｓ２１でＮ）、読取制御部は、載置態様をＢ５Ｙであると特定した後、一連の制御フローを終了させる。これに対し、第４判定領域Ｓ４に原稿が存在していた場合には（Ｓ２１でＹ）、載置態様をＡ４Ｙであると特定した後（Ｓ２２）、一連の制御フローを終了させる。
【００７７】
図７に示されるように、８つの載置態様のうち、原稿検知センサー１６１によって原稿が検知されないのは、Ａ５Ｙ、Ｂ５Ｙ、Ａ４Ｙ、Ａ５Ｔ、及びＢ５Ｔの５つである。また、上述したように、基準存否判定処理では、第３ブロックのＬＥＤ素子を点灯させる点灯条件である基準点灯条件のもとで、ＣＣＤ（１５３）の基準判定領域における受光量を取得する。この基準点灯条件は、同図からわかるように、前述した５つの載置態様の全てに共通して原稿の存否を確認することが可能である。
【００７８】
先に説明したように、読取制御部は、図９で示される制御フローにおいて、原稿検知センサーによって原稿無しという検知結果が得られた場合には（Ｓ１でＮ）、存否判定処理の１つとして、基準存否判定処理（Ｓ１２）を実施する。つまり、基準点灯条件でＬＥＤ素子を点灯させて基準判定領域Ｓ０における原稿の存否を判定する。原稿が第２コンタクトガラス（１５５）上に載置されていない場合には、その基準存否判定処理において、原稿の存否の判定結果が原稿なしというものになる（Ｓ１３でＮ、Ｓ２３）。これにより、原稿台上に原稿が載置されていない場合における載置態様の誤検知の発生を回避することができる。
【００７９】
読取制御部は、図９に示されるように、原稿検知センサー（１６１）によって原稿が検知されない場合には（Ｓ１でＮ）、載置態様の特定のために複数回実施する存否判定処理のうち、基準点灯条件を採用した基準存否判定処理を始めに実施する（Ｓ１２）。かかる構成では、第２コンタクトガラス（１５５）に原稿が載置されていない場合には、載置態様の特定に先立って、原稿が載置されていないことを迅速に検知して、特定処理の実施時間を短縮することができる。
【００８０】
図７において、原稿検知センサー１６１の主走査方向の配設位置と、基準点灯条件（第３ブロック）との組み合わせは、次のようなものに設定されている。即ち、同図からわかるように、原稿検知センサー１６１によって原稿が検知されるＡ４Ｔ、Ｂ４Ｔ、及びＡ３Ｔの３つの載置態様が何れも、基準点灯条件（第３ブロック）を採用した基準存否判定処理でも原稿ありと判定されるように設定されている。このように設定された構成において、読取制御部は、図９に示される制御フローにおいて、次のような処理を実施する。即ち、原稿検知センサー（１６１）によって原稿が検知された場合には（Ｓ１でＹ）、存否判定処理として、基準点灯条件を採用していない第２存否判定処理、第３存否判定処理、及び第４存否判定処理のうち、少なくとも何れか１つを実施する。これらの存否判定処理は、何れも基準点灯条件とは異なる点灯条件を採用したものである。原稿検知センサーによって原稿が検知されている場合、原稿について載置されているか否かを存否判定処理で判定する必要がない。よって、基準点灯条件を採用した基準存否判定処理を省略することで、特定処理の実施時間を短縮化しつつ、誤特定の発生を回避することができる。
【００８１】
図９に示される制御フローにおける各フローと、各存否判定処理における判定結果と、載置態様の特定結果との関係を、次の表２に示す。
【表２】
2014138219.tif 000004
【００８２】
なお、読取制御部は、特定処理において、ＬＥＤアレイ（１５２ａ）の各ブロックにおけるＬＥＤ素子（１５２Ａ’）の発光強度を、原稿読取時の発光強度よりも小さくする処理を実施する。これにより、特定処理の実施時にＬＥＤアレイの光をユーザーの目に入れてしまうことによる不快感を更に軽減することができる。
【００８３】
以上に説明したものは一例であり、本発明は、次の態様毎に特有の効果を奏する。
［態様Ａ］
態様Ａは、原稿を載置する原稿台（例えば第２コンタクトガラス１５５）と、前記原稿台の表面に沿った主走査方向に並ぶ複数の分割光源（例えばＬＥＤ素子１５２ａ’）を具備する光源（例えばＬＥＤアレイ１５２ａ）のそれぞれの分割光源から発した光を前記原稿台上の原稿に向けて照射して原稿面での反射光を得ながら、前記表面に沿いつつ主走査方向に直交する方向である副走査方向に移動する移動照射手段（例えば移動照射部１５２）と、前記移動照射手段からの反射光を受光して原稿の画像を読み取る画像センサー（例えばＣＣＤ）と、前記表面上の副走査方向の所定位置における原稿の存否を検知する原稿検知手段（例えば原稿検知センサー１６１）と、前記載置台上に載置された原稿の平面サイズ及び姿勢の組み合わせである載置態様として複数種類のものを記憶している記憶手段（例えばＲＯＭ）と、複数の前記分割光源の少なくとも１つを点灯させながら前記画像センサーによる受光量を取得した結果に基づいて前記載置台上の主走査方向の分割光源点灯位置における原稿の存否を判定する存否判定処理を、点灯させる前記分割光源を互いに異ならせた複数の点灯条件でそれぞれ実施し、それぞれの判定結果、及び前記原稿検知手段による検知結果に基づいて、前記原稿の載置態様を特定する制御手段（例えば読取制御部１７０）とを有する原稿読取装置（例えばスキャナ１５０）において、前記原稿検知手段によって原稿無しという検知結果が得られた場合には、載置態様の特定のために複数回実施する前記存否判定処理の１つとして、複数種類の載置態様のうち、前記原稿検知手段では原稿が検知されない全ての載置態様に共通して原稿の存否を確認し得る点灯条件である基準点灯条件で前記分割光源を点灯させるものを実施するように、前記制御手段を構成したことを特徴とするものである。
【００８４】
［態様Ｂ］
態様Ｂは、態様Ａにおいて、前記原稿検知手段によって原稿無しという検知結果が得られた場合には、載置態様の特定のために複数回実施する前記存否判定処理のうち、前記基準点灯条件を採用した存否判定処理を始めに実施するように、前記制御手段を構成したことを特徴とするものである。かかる構成では、既に説明したように、原稿台に原稿が載置されていない場合には、載置態様の特定に先立って、原稿が載置されていないことを迅速に検知して、特定処理の実施時間を短縮することができる。
【００８５】
［態様Ｃ］
態様Ｃは、態様Ａ又はＢにおいて、複数種類の前記載置態様のうち、前記原稿検知手段によって原稿が検知される載置態様の全て（例えばＡ４Ｔ、Ｂ４Ｔ、及びＡ３Ｔ）について、前記基準点灯条件（例えば第３ブロックＬＥＤ素子点灯）を採用した存否判定処理（例えば基準存否判定処理）で原稿ありと判定されるように、前記原稿検知手段の主走査方向の配設位置と、前記基準点灯条件とを設定するとともに、前記原稿検知手段によって原稿有りという検知結果が得られた場合には、載置態様の特定のために複数回実施する前記存否判定処理としてそれぞれ、前記基準点灯条件を採用していないものを実施するように、前記制御手段を構成したことを特徴とするものである。かかる構成では、原稿検知手段によって原稿が検知されている場合に、基準点灯条件を採用した存否判定処理を省略することで、特定処理の実施時間を短縮化しつつ、誤特定の発生を回避することができる。
【００８６】
［態様Ｄ］
態様Ｄは、態様Ａ〜Ｃの何れかにおいて、前記存否判定処理における複数の前記分割光源の発光強度をそれぞれ、原稿の画像を読み取る画像読取処理を実施するときにおける複数の前記分割光源の発光強度よりも低くする処理を実施するように、前記制御手段を構成したことを特徴とするものである。かかる構成では、長さ特定処理の実施時にＬＥＤアレイの光をユーザーの目に入れてしまうことによる不快感を更に軽減することができる。
【００８７】
［態様Ｅ］
態様Ｅは、態様Ａ〜Ｄの何れかにおいて、前記原稿台上に載置された原稿を前記原稿台の表面に向けて押さえる原稿押さえ手段（例えばＡＤＦ５１）と、前記原稿押さえ手段の前記原稿台に対する開閉動作を検知する開閉検知手段（例えば開閉センサー１５７）とを設けるとともに、前記開閉検知手段によって前記原稿押さえ手段の閉動作が検知されたことに基づいて、前記長さ特定処理を開始する処理を実施するように、制御手段を構成したことを特徴とするものである。かかる構成では、開閉動作に連動させて、移動照射手段を原稿サイズ検知位置まで移動させたり、長さ特定処理を開始したりすることができる。
【符号の説明】
【００８８】
１：画像形成部
５１：ＡＤＦ（押さえ手段）
１５０：スキャナ（原稿読取装置）
１５２：移動照射部（移動照射手段）
１５２ａ：ＬＥＤアレイ（光源）
１５２ａ’：ＬＥＤ素子（分割光源）
１５３：ＣＣＤ（画像センサー）
１５５：第２コンタクトガラス（原稿台）
１６１：原稿検知センサー（原稿検知手段）
１７０：読取制御部（制御手段）
【先行技術文献】
【特許文献】
【００８９】
【特許文献１】特開２０１０−２２６６９０号公報
【図１】
2014138219.tif 000005
【図２】
2014138219.tif 000006
【図３】
2014138219.tif 000007
【図４】
2014138219.tif 000008
【図５】
2014138219.tif 000009
【図６】
2014138219.tif 000010
【図７】
2014138219.tif 000011
【図８】
2014138219.tif 000012
【図９】
2014138219.tif 000013
【図１０】
2014138219.tif 000014